【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
背景画像上を移動する対象物を連続して撮影する動画撮像部と、
上記動画撮像部で撮影された複数の画像から上記背景画像を合成する背景画像合成部と、
上記複数の画像から上記対象物の大きさの変化と移動方向の少なくとも一方を検出する検出部と、
上記連続して撮影された対象物の中の特定駒の画像が、上記背景画像上を、上記検出部で検出した対象物の大きさの変化に応じて変化させるか、上記検出部で検出した上記移動方向に移動させるか、少なくとも一方については上記検出部の検出結果に応じて連続画像を生成する連続画像生成部と、
上記背景画像合成部によって合成された上記背景画像と、上記連続画像生成部によって生成された上記連続画像を合成する合成部と、
を備えたことを特徴とする画像合成装置。
【請求項２】
上記背景画像合成部は、上記動画撮像部で撮影された複数のそれぞれの画像の中の、上記対象物が撮影されていない部分を抽出して合成することにより、上記背景画像を合成するものであることを特徴とする請求項１に記載の画像合成装置。
【請求項３】
背景画像上を移動する対象物を連続して撮影する動画撮像部と、
上記動画撮像部で撮影された１の画像から背景画像を選択し、または複数の画像から上記背景画像を合成する背景画像生成部と、
上記複数の画像から上記対象物の大きさの変化と移動方向の少なくとも一方を検出する検出部と、
上記複数の画像から上記対象物を示す特定駒を選択し、上記検出部で検出した上記対象物の大きさの変化に応じて変化させるか、上記検出部で検出した上記移動方向に移動させるか、少なくとも一方については上記検出部の検出結果に応じて連続画像を生成する連続画像生成部と、
上記背景画像合成部によって選択され又は合成された上記背景画像と、上記連続画像生成部によって生成された上記連続画像を合成する合成部と、
を備えたことを特徴とする画像合成装置。
【請求項４】
上記連続画像生成部は、上記移動方向について調整する調整部を有していることを特徴とする請求項３に記載の画像合成装置。
【請求項５】
上記連続画像生成部は、上記対象物の移動速度を調整する調整部を有していることを特徴とする請求項３に記載の画像合成装置。
【請求項６】
上記合成部は、上記背景画像に代えて、異なる背景画像と合成することを特徴とする請求項３に記載の画像合成装置。
【請求項７】
背景画像上を移動する対象物を連続して撮影し、
上記撮影された複数の画像から上記背景画像を合成し、
上記複数の画像から上記対象物の大きさの変化と移動方向の少なくとも一方を検出し、
上記連続して撮影された対象物の中の特定駒の画像が、上記背景画像上を、上記検出部で検出した対象物の大きさの変化に応じて変化させるか、上記検出部で検出した上記移動方向に移動させるか、少なくとも一方については上記検出部の検出結果に応じて連続画像を生成し、
上記背景画像と上記連続画像を合成する、
ことを特徴とする画像合成方法。
【請求項８】
上記撮影は、固定された状態で連続して撮影されることを特徴とする請求項７に記載の画像合成方法。
【請求項９】
背景画像上を移動する対象物を連続して撮影された複数の画像の中の１の画像から背景画像を選択し、または上記複数の画像から上記背景画像を合成し、
上記複数の画像から上記対象物の大きさの変化と移動方向の少なくとも一方を検出し、
上記複数の画像から上記対象物を示す特定駒を選択し、上記対象物の大きさの変化に応じて変化させるか、上記移動方向に移動させるか、少なくとも一方については上記検出部の検出結果に応じて連続画像を生成し、
上記背景画像と上記連続画像を合成する、
ことを特徴とする画像合成方法。
【請求項１０】
背景画像上を移動する対象物を連続して撮影された複数の画像の中の１の画像から背景画像を選択し、または上記複数の画像から上記背景画像を合成するステップと、
上記複数の画像から上記対象物の大きさの変化と移動方向の少なくとも一方を検出するステップと、
上記複数の画像から上記対象物を示す特定駒を選択し、上記対象物の大きさの変化に応じて変化させるか、上記移動方向に移動させるか、少なくとも一方については上記検出部の検出結果に応じて連続画像を生成するステップと、
上記背景画像と上記連続画像を合成するステップと、
を含むことを特徴とするプログラム。
【請求項１１】
背景画像上を移動する対象物を連続して撮影する動画撮像部と、
上記動画撮像部で撮影された複数の画像から上記対象物が写っていない画像部分を抽出し、これらの画像を集めて、上記背景画像を合成する背景画像合成部と、
を備えたことを特徴とする画像合成装置。
【手続補正２】
【補正対象書類名】明細書
【補正対象項目名】発明の名称
【補正方法】変更
【補正の内容】
【発明の名称】画像合成装置、画像合成方法、およびプログラム
【手続補正３】
【補正対象書類名】明細書
【補正対象項目名】０００１
【補正方法】変更
【補正の内容】
【０００１】
本発明は、画像合成装置、画像合成方法、およびプログラムに関し、詳しくは、対象物が画面内を移動する合成画像を簡単に得ることのできる画像合成装置、画像合成方法、およびプログラムに関する。
【手続補正４】
【補正対象書類名】明細書
【補正対象項目名】０００５
【補正方法】変更
【補正の内容】
【０００５】
本発明は、このような事情を鑑みてなされたものであり、アニメーションの形式で作品として楽しめる動画を簡単に作成できる画像処理装置、画像処理方法、およびプログラムを提供することを目的とする。
【手続補正５】
【補正対象書類名】明細書
【補正対象項目名】０００６
【補正方法】変更
【補正の内容】
【０００６】
上記目的を達成するため第１の発明に係わる画像合成装置は、背景画像上を移動する対象物を連続して撮影する動画撮像部と、上記動画撮像部で撮影された複数の画像から上記背景画像を合成する背景画像合成部と、上記複数の画像から上記対象物の大きさの変化と移動方向の少なくとも一方を検出する検出部と、上記連続して撮影された対象物の中の特定駒の画像が、上記背景画像上を、上記検出部で検出した対象物の大きさの変化に応じて変化させるか、上記検出部で検出した上記移動方向に移動させるか、少なくとも一方については上記検出部の検出結果に応じて連続画像を生成する連続画像生成部と、上記背景画像合成部によって合成された上記背景画像と、上記連続画像生成部によって生成された上記連続画像を合成する合成部と、を備える。
【手続補正６】
【補正対象書類名】明細書
【補正対象項目名】０００７
【補正方法】変更
【補正の内容】
【０００７】
第２の発明に係わる画像合成装置は、上記第１の発明において、上記背景画像合成部は、上記動画撮像部で撮影された複数のそれぞれの画像の中の、上記対象物が撮影されていない部分を抽出して合成することにより、上記背景画像を合成するものである。
【手続補正７】
【補正対象書類名】明細書
【補正対象項目名】０００８
【補正方法】変更
【補正の内容】
【０００８】
上記目的を達成するため第３の発明に係わる画像合成装置は、背景画像上を移動する対象物を連続して撮影する動画撮像部と、上記動画撮像部で撮影された１の画像から背景画像を選択し、または複数の画像から上記背景画像を合成する背景画像生成部と、上記複数の画像から上記対象物の大きさの変化と移動方向の少なくとも一方を検出する検出部と、上記複数の画像から上記対象物を示す特定駒を選択し、上記検出部で検出した上記対象物の大きさの変化に応じて変化させるか、上記検出部で検出した上記移動方向に移動させるか、少なくとも一方については上記検出部の検出結果に応じて連続画像を生成する連続画像生成部と、上記背景画像合成部によって選択され又は合成された上記背景画像と、上記連続画像生成部によって生成された上記連続画像を合成する合成部と、を備える。
【手続補正８】
【補正対象書類名】明細書
【補正対象項目名】０００９
【補正方法】変更
【補正の内容】
【０００９】
第４の発明に係わる画像合成装置は、上記第３の発明において、上記連続画像生成部は、上記移動方向について調整する調整部を有している。
また、第５の発明に係わる画像合成装置は、上記第３の発明において、上記連続画像生成部は、上記対象物の移動速度を調整する調整部を有している。
さらに、第６の発明に係わる画像合成装置は、上記第３の発明において、上記合成部は、上記背景画像に代えて、異なる背景画像と合成する。
【手続補正９】
【補正対象書類名】明細書
【補正対象項目名】００１０
【補正方法】変更
【補正の内容】
【００１０】
上記目的を達成するため第７の発明に係わる画像合成方法は、背景画像上を移動する対象物を連続して撮影し、上記撮影された複数の画像から上記背景画像を合成し、上記複数の画像から上記対象物の大きさの変化と移動方向の少なくとも一方を検出し、上記連続して撮影された対象物の中の特定駒の画像が、上記背景画像上を、上記検出部で検出した対象物の大きさの変化に応じて変化させるか、上記検出部で検出した上記移動方向に移動させるか、少なくとも一方については上記検出部の検出結果に応じて連続画像を生成し、上記背景画像と上記連続画像を合成する。
第８の発明に係わる画像合成方法は、上記第７の発明において、上記撮影は、固定された状態で連続して撮影される。
【手続補正１０】
【補正対象書類名】明細書
【補正対象項目名】００１１
【補正方法】変更
【補正の内容】
【００１１】
上記目的を達成するため第９の発明に係わる画像合成方法は、背景画像上を移動する対象物を連続して撮影された複数の画像の中の１の画像から背景画像を選択し、または上記複数の画像から上記背景画像を合成し、上記複数の画像から上記対象物の大きさの変化と移動方向の少なくとも一方を検出し、上記複数の画像から上記対象物を示す特定駒を選択し、上記対象物の大きさの変化に応じて変化させるか、上記移動方向に移動させるか、少なくとも一方については上記検出部の検出結果に応じて連続画像を生成し、上記背景画像と上記連続画像を合成する。
【手続補正１１】
【補正対象書類名】明細書
【補正対象項目名】００１２
【補正方法】変更
【補正の内容】
【００１２】
上記目的を達成するため第１０の発明に係わるプログラムは、背景画像上を移動する対象物を連続して撮影された複数の画像の中の１の画像から背景画像を選択し、または上記複数の画像から上記背景画像を合成するステップと、上記複数の画像から上記対象物の大きさの変化と移動方向の少なくとも一方を検出するステップと、上記複数の画像から上記対象物を示す特定駒を選択し、上記対象物の大きさの変化に応じて変化させるか、上記移動方向に移動させるか、少なくとも一方については上記検出部の検出結果に応じて連続画像を生成するステップと、上記背景画像と上記連続画像を合成するステップと、を含む。
【手続補正１２】
【補正対象書類名】明細書
【補正対象項目名】００１３
【補正方法】変更
【補正の内容】
【００１３】
第１１の発明に係わる画像合成装置は、背景画像上を移動する対象物を連続して撮影する動画撮像部と、上記動画撮像部で撮影された複数の画像から上記対象物が写っていない画像部分を抽出し、これらの画像を集めて、上記背景画像を合成する背景画像合成部と、を備える。
【手続補正１３】
【補正対象書類名】明細書
【補正対象項目名】００１４
【補正方法】変更
【補正の内容】
【００１４】
本発明によれば、アニメーションの形式で作品として楽しめる動画を簡単に作成できる画像処理装置、画像処理方法、およびプログラムを提供することができる。